(57)【要約】【課題】使用状態の収容効率のみならず、空状態における輸送効率のよい容器構造を提供する。【解決手段】容器構造２は、大容器１０と、大容器１０の開口１０Ｘに対して着脱自在な大蓋１１と、大容器１０に収容可能な中容器２０と、中容器２０の開口２０Ｘに対して着脱自在な中蓋２１と、大容器１０に収容可能な小容器３０と、を備える。大容器１０は、有底の円筒形状に形成されるものであり、内周面のうち軸方向の中途部分には、小容器３０を支持する支持突起１０Ｔが形成される。支持突起１０Ｔは、周方向において１８０°ごとに形成されている。小容器３０は、有底の円筒形状に形成されるものであり、外周面には、凹み部３０Ｈが形成される。支持突起１０Ｔは、凹み部３０Ｈに沿ってスライド自在な形状となっている。【選択図】図１
2020081628.tif 000002
【特許請求の範囲】
【請求項１】
容器の外周部から突出された突出部と、
前記突出部に設けられた通液構造と、を備えたことを特徴とする容器構造。
【請求項２】
前記通液構造は、前記突出部に形成された孔であることを特徴とする請求項１記載の容器構造。
【請求項３】
前記孔の一方側の内径は、前記孔の他方側の内径と異なることを特徴とする請求項２記載の容器構造。
【発明の詳細な説明】
【技術分野】
【０００１】
本発明は、容器構造に関する。
【背景技術】
【０００２】
弁当箱のような容器構造は、飲食物を収容した使用状態と、飲食物を収容していない空状態との２つの状態がある。空状態における輸送効率を考慮すると、できるだけ空状態を少なくする手法や、空状態の寸法を小さくする手法（例えば、特許文献１〜３）等が考えられる。
【先行技術文献】
【特許文献】
【０００３】
【特許文献１】実開平６−４８４２０号公報
【特許文献２】特開２００９−１７２２６６号公報
【特許文献３】特許第２６１２８１３号公報
【発明の概要】
【発明が解決しようとする課題】
【０００４】
ところで、特許文献１〜３のような特殊構造の弁当箱は、全体として容積の小さいものが多い。したがって、大人の男性、働き盛りの女性や食べ盛りの若者等（以下、大食家と称する）のニーズには応えられていない。一方、市販されている容器の中には、大きさ違いの容器がシリーズ化されており、入れ子型の収容が可能なものもある。これを弁当箱として用いることにより、特殊構造の弁当箱に比べ、より大きな容積を確保できる。
【０００５】
しかしながら、同じシリーズの容器同士であっても、大きさ違いにはそれなりの規模があるため、特殊構造の弁当箱といった専用容器とは異なり、無駄なスペースが生まれることとなる。結果、収容容積の最大化とはならず、入れ子型に収容した際（収納状態）の輸送効率も下がる。上記の問題は、お弁当箱に限られず、容器一般にいえることである。
【０００６】
本発明は、かかる実情に鑑み、使用状態の収容効率のみならず、空状態における輸送効率のよい容器構造を提供しようとするものである。
【課題を解決するための手段】
【０００７】
本発明の容器構造は、容器の外周部から突出された突出部と、前記突出部に設けられた通液構造と、を備えたことを特徴とする。
【０００８】
前記通液構造は、前記突出部に形成された孔であることが好ましい。
【０００９】
前記孔の一方側の内径は、前記孔の他方側の内径と異なることが好ましい。  
【発明の効果】
【００１０】
本発明によれば、使用状態の収容効率のみならず、空状態における輸送効率のよい容器構造を提供することができる。
【図面の簡単な説明】
【００１１】
【図１】容器構造の概要を示す分解斜視図である。
【図２】使用状態の容器構造の概要を示す断面図である。
【図３】収納状態の容器構造の概要を示す断面図である。
【図４】大容器及び小容器の概要を示す断面図である。
【図５】大容器及び小容器の概要を示す断面図である。
【図６】大容器及び小容器の概要を示す断面図である。
【図７】第２の大容器及び第２の小容器の概要を示す断面図である。
【図８】第３の大容器及び第３の小容器の概要を示す断面図である。
【図９】第３の大容器及び第３の小容器の概要を示す断面図である。
【図１０】小容器の蓋の概要を示す断面図である。
【図１１】容器に設けられた鍔の概要を示す断面図である。
【図１２】鍔に設けられた通液構造の概要を示す断面図である。
【図１３】容器に設けられた鍔の概要を示す断面図である。
【図１４】鍔に設けられた通液構造の概要を示す断面図である。
【図１５】容器に設けられた縁部の概要を示す断面図である。
【図１６】縁部に設けられた通液構造の概要を示す断面図である。
【発明を実施するための形態】
【００１２】
図１〜３に示すように、容器構造２は、大容器１０と、大容器１０の開口１０Ｘに対して着脱自在な大蓋１１と、大容器１０に収容可能な中容器２０と、中容器２０の開口２０Ｘに対して着脱自在な中蓋２１と、大容器１０に収容可能な小容器３０と、を備える。
【００１３】
大容器１０は、有底の円筒形状に形成されるものであり、内周面のうち軸方向の中途部分には、小容器３０を支持する支持突起１０Ｔが形成される。支持突起１０Ｔは、周方向において１８０°ごとに形成されている。
【００１４】
図４に示すように、小容器３０は、有底の円筒形状に形成されるものであり、外周面には、凹み部３０Ｈが形成される。その形成ピッチは、支持突起１０Ｔに対応したものとなっている。図５に示すように、凹み部３０Ｈは、小容器３０の軸方向において延びる。支持突起１０Ｔは、凹み部３０Ｈに沿ってスライド自在な形状となっている。すなわち、小容器３０の外周面のうち凹み部３０Ｈが形成される部分は、支持突起１０Ｔが通過可能なスライド構造として機能し、それ以外の部分は、支持突起１０Ｔに対して係止可能な係止構造として機能する。
【００１５】
ここで、大容器１０の収容空間Ｋ（図２）のうち開口側に位置する空間を開口側空間Ｋ１と、大容器１０の収容空間Ｋ（図２）のうち底側に位置する底側空間Ｋ２と、それぞれ定義した際、支持突起１０Ｔによって支持された小容器３０は開口側空間Ｋ１に位置する。
【００１６】
次に、図６に示すように、回転操作や挿抜操作等を介して、大容器１０の支持突起１０Ｔを小容器３０の凹み部３０Ｈに合わせると、凹み部３０Ｈと支持突起１０Ｔとにより、小容器３０は、大容器１０の収容空間Ｋの中をスライド可能になる。この結果、容器構造２は、小容器３０が開口側空間Ｋ１に位置する第１状態（図１）と、小容器３０が底側空間Ｋ２に位置する第２状態（図５と、の間で切替自在となる。
【００１７】
中容器２０は、有底の円筒形状に形成されるものであり、その一部分が、小容器３０に収容可能なものとなっている。
【００１８】
大容器１０、大蓋１１、中容器２０、中蓋２１や小容器３０の形成材料は、プラスチックでもよいし、金属、紙や木等でもよい。
【００１９】
次に、容器構造２の使用方法について述べる。
【００２０】
図２に示すように、使用状態の容器構造２は、小容器３０が大容器１０に収容され、大蓋１１は、大容器１０の開口１０Ｘに対して装着される。また、中容器２０は、大容器１０の外に配され、中蓋２１は開口２０Ｘに対して装着される。図４に示すように、大容器１０の支持突起１０Ｔは、小容器３０の凹み部３０Ｈから離れている。このため、大容器１０の支持突起１０Ｔは、小容器３０の外周部を支持する。この状態において、小容器３０の開口は、大容器１０の開口を向く姿勢となっているため、おかずなどの収容可能な部分は、底側空間Ｋ２と、中容器２０の内部と、小容器３０の内部になる。
【００２１】
次に、図６に示すように、小容器３０の凹み部３０Ｈを大容器１０の支持突起１０Ｔに合わせると、小容器３０は、大容器１０の収容空間Ｋの中をスライド可能になる。このスライド操作によって、小容器３０は、底側空間Ｋ２に位置する第２状態となる（図５）。これにより、大容器１０には、小容器３０の収容空間と大容器１０の収容空間Ｋの一部とから構成され、中容器２０が収容可能な空間Ｋ３が形成される。結果、容器構造２は、中容器２０が大容器１０に収納可能な収納状態となる。
【００２２】
このように、容器構造２は、各容器１０〜３０に、ごはんやおかず等を収容できる使用状態と、中容器２０及び小容器３０が大容器１０に収容される収納状態と、の間で切替自在であるため、使用状態におけるごはん等の収容効率のみならず、空状態における輸送効率が向上する。さらに、容器構造２は、ユーザが、いわゆる大食家の場合には、大容器１０、中容器２０及び小容器３０を用いればよいし、ユーザが小食の場合には、中容器２０を省略し、大容器１０及び小容器３０を用いればよい。したがって、容器構造２は、ユーザの食べたい量に応じて、使い分けが可能となる。
【００２３】
ところで、理想的な食事バランスとして、主食：主菜：副菜の割合が、３：１：２であるといわれている。このため、大食家の場合には、中容器２０に主食を入れて、小容器３０と大容器の底側空間Ｋ２とに主菜と副菜とをいれてもよい。なお、大容器１０と小容器３０の高さの比を３：１や３：２にすることで、小容器３０と大容器の底側空間Ｋ２とにおいて、主菜と副菜を分けることもできる。この場合、支持突起１０Ｔを設ける位置は、大容器１０と小容器３０の高さの比に応じて、中途部（例えば、大容器１０の底から１／３や２／３の高さ）に形成することが好ましい。
【００２４】
一方、いわゆる小食家の場合には、小容器３０と大容器の底側空間Ｋ２とのいずれか一方に、主食を入れ、他方に主菜及び副菜をいれてもよい。係る場合には、大容器１０と小容器３０の高さの比を２：１とすることが好ましい。この場合、支持突起１０Ｔは、大容器１０の高さ方向において中央部に形成することが好ましい。
【００２５】
なお、大容器１０、中容器２０、小容器３０や小容器４０の形状として、有底の円筒形状としたが、本発明はこれに限られず、有底の筒状、すなわち、有底の三角筒状、四角筒状や六角筒状等の多角筒状でもよい。また、凹み部３０Ｈの形状や形成ピッチ及び支持突起１０Ｔの形状や形成ピッチは、スライド構造として機能するものであればよい。
【００２６】
また、凹み部３０Ｈの形状は、指が入る程度の大きさ・形状であることが好ましい。また、小容器３０の外径は、底から開口にかけて一定であってもよいし、底から開口にかけて漸増させてもよい。また、小容器３０は、底側に位置する小径部と開口側に位置する大径部とを備えていてもよい。これにより、大容器１０に対する小容器３０の取り付け操作や取り外し操作が容易になる。さらに、小容器３０と大容器１０が密着して取り外しができなくなる事態を回避することができる。  
【００２７】
上記実施形態では、支持突起１０Ｔと凹み部３０Ｈとを備えたスライド機構により、収納状態と使用状態との間で容器構造２を切替自在にしたが、本発明はこれに限られない。大容器１０の内周面に雌ネジを形成し、この雌ネジに螺合可能な雄ネジを小容器３０の外周面に形成することにより、使用状態における小容器３０と大容器の底側空間Ｋ２との収容容積比をシームレスに調節することもできる。
【００２８】
上記実施形態では、支持突起１０Ｔと凹み部３０Ｈとを備えたスライド機構等により、収納状態（図５）と使用状態（図２）との間で容器構造２を切替自在にしたが、本発明はこれに限られない。例えば、収納状態では、小容器３０は、自身の開口が大容器１０の底を向くとともに、自身の開口部は、支持突起１０Ｔによって支持されるものとしてもよい（図７）。これにより、大容器１０には、中容器２０が収容可能な空間Ｋ３が形成される。係る場合の支持突起１０Ｔは、周方向において、連なるように形成されてもよいし、所定のピッチで形成されてもよい。かかる場合には、凹み部３０Ｈは省略してもよい。
【００２９】
上記実施形態では、支持突起１０Ｔを大容器１０に形成したが、本発明はこれに限られず、小容器３０を支持できる支持構造であればよい。例えば、図８〜９に示すように、基本的構造が小容器３０と同様の小容器４０を支持構造として用いてもよい。小容器４０は、開口側空間Ｋ１に位置する小容器３０を支持するとともに、大容器１０に対して着脱自在となっている。このため、大容器１０のみを用いる場合、大容器１０と小容器３０を用いる場合、大容器１０と小容器３０と中容器２０を用いる場合ごとに、それぞれ使い分けすることができる。
【００３０】
また、小容器３０の開口に対して着脱自在な小蓋３１を用いてもよい。小蓋３１には、別途の小容器３０とスタックが可能なスタック構造３５が形成されることが好ましい。スタック構造３５としては、図１０に示すように、小容器３０の底部がスタック可能なスタック突起や、小容器３０の底部がスタック可能なスタック溝等がある。スタック構造３５の形成位置は、小蓋３１の上面等に形成されることが好ましい。このスタッキング構造によれば、作り置きのおかずを予め小容器３０に小分けし、冷蔵庫などに保管することが可能となるとともに、その日のお弁当用として使用する分の小容器３０を大容器１０に収容することができる。すなわち、お弁当用のおかずの作る手間と、容器への詰める手間にかかる負担を軽減することができる。
【００３１】
ところで、大容器１０、中容器２０や小容器３０を問わず、容器全般において、その外周部分に鍔３０Ｂが形成される場合がある（図１１）。鍔３０Ｂの形状としては、底部に向かって拡開するもの（図１１（Ａ））や、径方向に向かって伸びるもの（図１１（Ｂ））等がある。係る容器を洗って、水切りをする際、鍔３０Ｂに水がたまってしまう場合がある。そこで、水切りをよくするために、鍔３０Ｂに通液構造を形成させてもよい。通液構造としては、孔３０ＢＸ（図１２（Ａ））や、切り欠き３０ＢＹ（図１２（Ｂ））などがある。この通液構造により、水切りがよくなる。
【００３２】
容器の外周部分に設けられた鍔３０Ｂは、図１２に示すものの他、図１３（Ａ）に示す鍔３０Ｂでもよい。図１３（Ａ）に示すように、鍔３０Ｂは、鍔３０Ｂの外周面から起立する起立部３０ＢＡと、起立部３０ＢＡの先端から下方へ延びる延設部３０ＢＢと、を備えていてもよい。そして、通液構造としての孔３０ＢＸは、起立部３０ＢＡに設けてもよいし、延設部３０ＢＢに設けてもよいし、起立部３０ＢＡと延設部３０ＢＢとの接続部３０ＢＣに設けてもよい（図１４）。
【００３３】
なお、容器の外周部分に設けられた鍔３０Ｂは、図１３（Ｂ）に示すように、鍔３０Ｂの外周面からほぼ垂直に起立する起立部３０ＢＡと、起立部３０ＢＡの先端から上方へ延びる延設部３０ＢＢと、を備えていてもよい。そして、通液構造としての孔３０ＢＸは、起立部３０ＢＡに設けてもよいし、延設部３０ＢＢに設けてもよいし、起立部３０ＢＡと延設部３０ＢＢとの接続部３０ＢＣに設けてもよい（図示省略）。
【００３４】
また、通液構造が形成される位置は、容器３０の外周部分の中途部に設けられた鍔に限られず、容器３０の外周部分の開口３０Ｘ付近から突設された縁部３０Ｈであってもよい。縁部３０Ｈの構造としては、外周面からほぼ垂直に起立する起立部３０ＨＡを備えていることが好ましい（図１５（Ａ））。また、縁部３０Ｈの構造としては、起立部３０ＨＡの先端から下方へ延びる延設部３０ＨＢを備えていてもよいし（図１５（Ｂ））、起立部３０ＨＡの先端から上方へ延びる延設部３０ＨＢを備えていてもよい（図１５（Ｃ））。そして、縁部３０Ｈに設けられる通液構造としての孔３０ＨＸは、起立部３０ＨＡに形成されることが好ましい（図１６（Ａ）〜（Ｂ））。また、縁部３０Ｈに設けられる通液構造としての孔３０ＨＸは、延設部３０ＨＢや、起立部３０ＨＡと延設部３０ＨＢとの接続部３０ＨＣに形成されてもよい（図１６（Ｃ）〜（Ｄ））。
【００３５】
上記実施形態では、通液構造として、円形の孔や、所定の切り欠きを所定のピッチで等間隔に形成したが、本発明はこれに限られず、その形状や配列等は、水切りが向上するものであれば限定されない。
【００３６】
起立部３０ＢＡや起立部３０ＨＡに設けられる通液構造としての孔の形状としては、容器の開口が上向きの状態では水等の浸入が起こりにくく、かつ、開口が下向きの状態では水等の切れが起こりやすい形状としてもよい。例えば、このような孔の形状として、開口が上向きの状態において上方から下方に向けて内径が漸増するような形状（図示省略）でもよいし、開口が上向きの状態において小径の上孔部と大径の下穴部とを備えた段違い形状（図示省略）としてもよい。
【００３７】
また、延設部３０ＢＢや延設部３０ＨＢに設けられる通液構造としての孔の形状としても、同様に、容器の開口が上向きの状態では水等の侵入が起こりにくく、かつ、開口が下向きの状態では水等の切れが起こりやすい形状としてもよい。
【００３８】
上記実施形態において、接続部３０ＢＣや接続部３０ＨＣは、略９０°に折れ曲がっていたが、本発明はこれに限られず、別の角度で折れ曲がっていてもよいし、湾曲していてもよい。
【００３９】
尚、本発明は、上記した実施の形態に限定されるものではなく、本発明の要旨を逸脱しない範囲内において種々変更を加え得ることは勿論である。
【符号の説明】
【００４０】
２     容器構造
１０   大容器
１０Ｔ 支持突起
１１   大蓋
２０   中容器
２１   中蓋
３０   小容器
３０Ｂ 鍔
３０ＢＸ      孔
３０ＢＹ      切り欠き
３０Ｈ 凹み部
３１   小蓋
３５   スタック構造
４０   小容器
Ｋ     収容空間
Ｋ１   開口側空間
Ｋ２   底側空間
Ｋ３   空間
【図１】
2020081628.tif 000003
【図２】
2020081628.tif 000004
【図３】
2020081628.tif 000005
【図４】
2020081628.tif 000006
【図５】
2020081628.tif 000007
【図６】
2020081628.tif 000008
【図７】
2020081628.tif 000009
【図８】
2020081628.tif 000010
【図９】
2020081628.tif 000011
【図１０】
2020081628.tif 000012
【図１１】
2020081628.tif 000013
【図１２】
2020081628.tif 000014
【図１３】
2020081628.tif 000015
【図１４】
2020081628.tif 000016
【図１５】
2020081628.tif 000017
【図１６】
2020081628.tif 000018